【事件の表示】
　特願２０１３−２４０４２６「マルチキャリア無線ネットワークにおけるクロスキャリア／クロスサブフレーム表示」拒絶査定不服審判事件〔平成２６年　５月　１日出願公開、特開２０１４−　７８９５９、請求項の数（１６）〕について、次のとおり審決する。
【結　論】
　原査定を取り消す。
　本願の発明は、特許すべきものとする。
【理　由】
　
第１　手続の経緯
　本願は、平成２２年１１月２日（パリ条約による優先権主張外国庁受理２００９年１１月２日、米国、２０１０年１１月１日、米国）を国際出願日とする特願２０１２−５３７９４６号の一部を平成２５年１１月２０日に分割した出願であって、平成２６年３月６日付けで手続補正がされ、平成２６年７月３１日付けで拒絶理由が通知され、平成２７年２月２日付けで手続補正がされ、平成２７年７月３０日付けで拒絶査定がされ、これに対し、平成２７年１２月４日に拒絶査定不服審判が請求されると同時に手続補正がされ、平成２８年２月２６日に前置報告がなされ、平成２８年９月１日付けで当審から拒絶理由が通知され、平成２８年９月１４日付けで手続補正がされたものである。
第２　原査定の理由の概要と前置報告の内容及び当審の拒絶理由
１．原査定の理由の概要
　この出願については、平成２６年７月３１日付け拒絶理由通知書に記載した理由Ａ，Ｂによって、拒絶をすべきものです。
　なお、意見書及び手続補正書の内容を検討しましたが、拒絶理由を覆すに足りる根拠が見いだせません。
備考
●理由Ａ（特許法第３６条第４項第１号、特許法第３６条第６項第１号、特許法第３６条第６項第２号）について
・請求項　３，７，１３，１７（拒絶理由通知の理由Ａの（２）に対応）
　請求項３には、「前記ＣＩＦは、サブフレーム整列形式でクロスキャリア割当てを割当て、割当てられたすべてのキャリアが物理ダウンリンク共有チャネル（ＰＤＳＣＨ）または物理アップリンク共有チャネル（ＰＵＳＣＨ）のうちの１つについて同一のタイミングを有するようにしたものである、」と記載されているが、「割当てられたすべてのキャリア」が、ＰＤＳＣＨまたはＰＵＳＣＨの「１つについて同一のタイミングを有する」ということが何を意味するのか、日本語として不明瞭である。
　また、発明の詳細な説明には、「割当てられたすべてのキャリア」が、ＰＤＳＣＨまたはＰＵＳＣＨの「１つについて同一のタイミングを有する」ことは、記載も示唆もされていない。
　したがって、請求項３に係る発明は、不明確であり、かつ、発明の詳細な説明に記載されたものではなく、発明の詳細な説明は、当業者が請求項３に係る発明を実施することができる程度に明確かつ十分に記載されたものでない。
　よって、請求項３に係る発明について、発明の詳細な説明及び特許請求の範囲の記載は、依然として、特許法第３６条第４項第１号、特許法第３６条第６項第１号、及び、特許法第３６条第６項第２号に規定する要件を満たしていない。
　また、請求項７，１３，１７にも同様の記載が存在しており、請求項７，１３，１７についても、依然として同様の拒絶理由が存在する。
　なお、出願人は、意見書において、「図５−図７では、クロスキャリア割当てがサブフレーム整列形式で割当てられます。これにより、割当てられたすべてのキャリアが同一のタイミングを有することが判ります。」という旨を主張しているが、例えば、［図６］において、「割当てられたすべてのキャリアが同一のタイミングを有する」ということが、どのタイミングとどのタイミングとが同一であることを意味しているのか不明である。
　よって、出願人の上記主張を採用することはできない。
●理由Ａ（特許法第３６条第４項第１号、特許法第３６条第６項第１号）について
・請求項　４，８，１４，１８（拒絶理由通知の理由Ａの（３）に対応）
　請求項４には、「前記ＤＬインデックスは、２つ以上の同時の物理アップリンク共有チャネル（ＰＵＳＣＨ）割当てに対応する」と記載されているが、発明の詳細な説明には、「ＤＬインデックス」をダウンリンク割当てに用い、「ＵＬインデックス」をアップリンク割当てに用いることのみが記載されており（段落［００６４］参照）、「ＤＬインデックス」を、アップリンク割当てである「物理アップリンク共有チャネル（ＰＵＳＣＨ）割当て」に用いることは、記載も示唆もされていない。
　したがって、請求項４に係る発明は、不明確であり、かつ、発明の詳細な説明に記載されたものではなく、発明の詳細な説明は、当業者が請求項４に係る発明を実施することができる程度に明確かつ十分に記載されたものでない。
　よって、請求項４に係る発明について、発明の詳細な説明及び特許請求の範囲の記載は、依然として、特許法第３６条第４項第１号、及び、特許法第３６条第６項第１号に規定する要件を満たしていない。
　また、請求項８，１４，１８にも同様の記載が存在しており、請求項８，１４，１８についても、依然として同様の拒絶理由が存在する。
　なお、出願人は、意見書において、「例えば、段落［００６１］は、ＵＬリソースへのＤＬ電力制御コマンドのマッピングが暗示的または明示的でありうることを説明しており、段落［００６２］は、ＤＬインデックスが２つ以上の同時のＰＵＳＣＨ割当てに対応することを説明しています。」という旨を主張しているが、発明の詳細な説明の段落［００６２］には、「ｘＳＦ／ＣＩＦ値」により、２つ以上の同時のＰＵＳＣＨ割当てを行うことは記載されているものの、当該「ｘＳＦ／ＣＩＦ値」が、「ＤＬインデックス」であることは記載も示唆もされていない。
　よって、出願人の上記主張を採用することはできない。
●理由Ｂ（特許法第２９条第２項）について
・請求項　１，５，９〜１１，１５，１９，２０
・引用文献等　１〜２
　請求項１，５，９〜１１，１５，１９，２０について
　先に通知した引用文献１には、無線通信システムにおいて、
　アクセスポイントからユーザ装置に送信され、サブフレームにおける送信をスケジュールするための制御情報（「TDD UL/DL configuration 0」における「DCI format 0」）に、当該制御情報が適用されることになる１つの（又は複数の）サブフレーム（「subframe n+k」や「subframe n+7」）を示す第１のフィールド（「UL index」）が含まれ（特に、第５２ページ最終段落〜第５３ページ第３段落参照）、
　ユーザ装置が、制御情報を受信し、第１のフィールドの値に基づいて、制御情報が適用されることになるサブフレームを決定することが示されている（「8　Physical uplink shared channel related procedures」参照）。
　また、先に通知した引用文献２（「2　Carrier Indication in Multicarrier Control」参照）に示されるように、無線通信システムの技術分野において、サブフレームにおける送信をスケジュールするための制御情報（例えば、「DCI formats 0」）を、アクセスポイントからユーザ装置へ送信する際に、制御情報に、当該制御情報が適用されることになる１つのコンポーネントキャリアを示す第２のフィールド（「carrier indicator field」）を設けることは、当該技術分野における周知技術である。
　したがって、引用文献１に示される無線通信システムにおいて、制御情報に、当該制御情報が適用されることになるコンポーネントキャリアを示す第２のフィールドを追加することにより、第１のフィールドと第２のフィールドの組み合わせにより、当該組み合わせの異なる値が、１つの（又は複数の）サブフレーム及び１つのコンポーネントキャリアの異なる組み合わせを示すようにすることは、当業者が容易に想到し得ることである。
　なお、出願人は、意見書において、「少なくともこれらの理由から、引用文献１および２は、制御情報が適用されることとなる１つまたは複数のサブフレームおよび１つまたは複数のコンポーネントキャリアを示す異なる組み合わせの値に関しては、何も言及していません。」という旨を主張している。
　しかし、「１つまたは複数のサブフレームおよび１つまたは複数のコンポーネントキャリアを示す異なる組み合わせ」という記載は、１つのサブフレームおよび１つのコンポーネントキャリアを示す異なる組み合わせ、を含む記載である。
　したがって、「前記フィールドの組み合わせの異なる値は、前記制御情報が適用されることとなる１つまたは複数のサブフレームおよび１つまたは複数のコンポーネントキャリアの異なる組み合わせを示す」という記載は、発明の詳細な説明の段落［００６２］の「０００」〜［１００］の５つの値のように、「制御情報」が、「ＣＣ１」、［ＣＣ２］及び「ＣＣ３」の中のどの１つのコンポーネントキャリアに適用され、制御情報が、「ｎ」、「ｎ＋１」及び「ｎ＋３」の中のどの１つのサブフレームに適用されるかを、「フィールドの組み合わせ」の値により示すことを含む記載であると認められる。
　そして、上述したとおり、引用文献１に示される発明に、引用文献２に示される周知技術を適用することにより、制御情報が適用されることになる１つのサブフレームを示す第１のフィールドと、制御情報が適用されることになる１つのコンポーネントキャリアを示す第２のフィールドとが、制御情報に含まれることとなり、第１のフィールドと第２のフィールドとの組み合わせの値は、制御情報が、どの１つのコンポーネントキャリアに適用され、制御情報がどの１つのサブフレームに適用されるかを示すものである。
　よって、出願人の上記主張を考慮しても、請求項１，５，９〜１１，１５，１９，２０に係る発明は、特許法第２９条第２項の規定により特許を受けることができない。
・請求項　２〜４，６〜８，１２〜１４，１６〜１８
・引用文献１〜３
　請求項２〜４，６〜８，１２〜１４，１６〜１８について
　引用文献１には、制御情報に含められる所定のインデックス（「UL index」）により、２つのサブフレームの物理アップリンク共有チャネルＰＵＳＣＨ（「corresponding PUSCH transmission in both subframes n+k  and n+7」）を同時に割当てることも示されている（第５３ページの第１段落参照）。
　また、先に通知した引用文献３（段落[109]〜[112]、[181]〜[184]参照）に示されるように、無線通信システムの技術分野において、ＰＵＳＣＨの割り当て（「DCI format 0」）に用いられるＵＬインデックス（Table 3 の「UL index (TDD)」）と同様に、ＰＤＳＣＨの割り当て（「DCI format 1A」）に用いられるＤＬインデックス（Table 14 の「Downlink Assignment Index (TDD)」）を制御情報に含めることは、当該技術分野における周知技術である。
　さらに、引用文献２（「2　Carrier Indication in Multicarrier Control」参照）に示されるように、無線通信システムの技術分野において、制御情報に含められるコンポーネントキャリアを指定するためのフィールドを、同一のサブフレームにおけるＰＤＳＣＨやＰＵＳＣＨに対するクロスキャリア割当てに用いられるキャリアインジケータフィールド（「carrier indicator field for the cross-carrier operation」）とすることは、当該技術分野における周知技術である。
　　　　　　　　　　　　　　＜引用文献等一覧＞
１.“Evolved Universal Terrestrial Radio Access (E-UTRA); Physical layer procedures (Release 8)”，3GPP TS 36.213 V8.8.0， ２００９年９月，pp.52-55，ＵＲＬ，http://www.3gpp.org/ftp/Specs/archive/36_series/36.213/36213-880.zip
２.Qualcomm Europe，“Interpreting the Carrier Indicator Field”， 3GPP TSG RAN WG1 #58bis, R1-094206， ２００９年１０月，pp.1-3，ＵＲＬ，http://www.3gpp.org/ftp/tsg_ran/wg1_rl1/TSGR1_58b/Docs/R1-094206.zip（周知技術を示す文献）
３.国際公開第２００９／０４１７８５号（周知技術を示す文献）
（注）法律又は契約等の制限により、提示した非特許文献の一部又は全てが送付されない場合があります。
＜付記＞
●特許法第３６条第４項第１号、特許法第３６条第６項第１号、特許法第３６条第６項第２号
・請求項　３，７，１３，１７
・備考
　請求項３には、「サブフレーム整列形式でクロスキャリア割当てを割当て、割当てられたすべてのキャリアが物理ダウンリンク共有チャネル（ＰＤＳＣＨ）または物理アップリンク共有チャネル（ＰＵＳＣＨ）のうちの１つについて同一のタイミングを有するようにしたものである、」と記載されているが、「サブフレーム整列形式」がどのような形式であるのか、日本語として不明瞭である。
　また、「サブフレーム整列形式でクロスキャリア割当てを割当て」るということが、「割当てられたすべてのキャリアが物理ダウンリンク共有チャネル（ＰＤＳＣＨ）または物理アップリンク共有チャネル（ＰＵＳＣＨ）のうちの１つについて同一のタイミングを有するように」する割当て方法を意味するのか、それ以外の割当て方法を意味するのか、日本語として不明瞭である。
　そして、「サブフレーム整列形式でクロスキャリア割当てを割当て」るということが、「割当てられたすべてのキャリアが物理ダウンリンク共有チャネル（ＰＤＳＣＨ）または物理アップリンク共有チャネル（ＰＵＳＣＨ）のうちの１つについて同一のタイミングを有するように」する割当て方法を意味するのではないとすると、「サブフレーム整列形式でクロスキャリア割当てを割当て」るということが、どのような割当て方法を意味するのか、日本語として不明瞭である。
　さらに、「サブフレーム整列形式」は、発明の詳細な説明には記載も示唆もされていない。
　したがって、請求項３に係る発明は、不明確であり、かつ、発明の詳細な説明に記載されたものではなく、発明の詳細な説明は、当業者が請求項３に係る発明を実施することができる程度に明確かつ十分に記載されたものでない。
　よって、請求項３に係る発明について、発明の詳細な説明及び特許請求の範囲の記載は、特許法第３６条第４項第１号、特許法第３６条第６項第１号、及び、特許法第３６条第６項第２号に規定する要件を満たしていない。
　また、請求項７，１７には「サブフレーム整列形式でクロスキャリア割当てを割当て」と記載されており、請求項１３には、「サブフレームが整列形式でクロスキャリア割当てを割当て」と記載されており、請求項７，１３，１７についても、同様の拒絶理由が存在する。
２．前置報告の内容
・根拠条文　特許法第２９条第２項
・請求項　１，５，９〜１１，１５，１９，２０
・引用文献等　１〜２
・特許査定できない理由
　請求項１，５，９〜１１，１５，１９，２０について
　審判請求人は、審判請求書において、「引用文献１の第５３頁では、サブフレームｎにおけるＤＣＩフォーマット０でのＰＤＣＣＨの検出に応じて、ＵＥが、対応する第１のＰＵＳＣＨ送信を調整し得ることが教示されますが、Ｄ１は、フィールドの組み合わせによりＤＣＩを送信または受信すること、ここにおいて、フィールドの組み合わせの異なる値は、制御情報が適用されることとなる１つまたは複数のサブフレームおよび１つまたは複数のコンポーネントキャリアの異なる組み合わせを示す、については触れていません。さらに、Ｄ２のセクション２では、各コンポーネントキャリアに対するＤＬおよびＵＬ割当てが、０−３ビットの追加のキャリアインジケータフィールドを有する単一のキャリアのためのＤＣＩフォーマットに基づくこと、ここにおいて、この追加のビットは、クロスキャリア動作（ここでは、１つのキャリアに対する割当てが別のキャリア上で送信される）と非対称のＤＬ／ＵＬ構成とに必要である、が教示されますが、Ｄ２もまた、フィールドの組み合わせによりＤＣＩを送信または受信すること、ここにおいて、フィールドの組み合わせの異なる値は、制御情報が適用されることとなる１つまたは複数のサブフレームおよび１つまたは複数のコンポーネントキャリアを示す、については触れていません。少なくともこれらの理由により、引用文献１および引用文献２は、制御情報が適用されることとなる１つまたは複数のサブフレームおよび１つまたは複数のコンポーネントキャリアを示すフィールドの組み合わせの異なる値について触れていません。 
　よって、これら引用文献は、本願請求項１に記載される「フィールドの組み合わせによりダウンリンク制御チャネルにおいてユーザ装置へ前記制御情報を送信することと、ここにおいて、前記フィールドの組み合わせの異なる値は、前記制御情報が適用されることとなる１つまたは複数のサブフレームおよび１つまたは複数のコンポーネントキャリアの異なる組み合わせを示す」および請求項５、９、１０に記載される同様の限定、または本願請求項１１に記載される「フィールドの組み合わせによりダウンリンク制御チャネルにおいて制御情報を受信することと、ここにおいて、前記フィールドの組み合わせの異なる値は、前記制御情報が適用されることとなる１つまたは複数のサブフレームおよび１つまたは複数のコンポーネントキャリアの異なる組み合わせを示す」および請求項１５、１９、２０に記載される同様の限定を教示または示唆しません。」という旨を主張している。
　しかし、引用文献１には、ダウンリンク制御チャネルにおいてユーザ装置へ送信される制御情報（「DCI format 0」）について、制御信号に含まれる第１のフィールド（「UL index」）が、制御情報が適用されることとなる１つ（又は複数）のサブフレームを示し、第１のフィールドの異なる値が、制御情報が適用されることとなる異なる１つ（又は複数）のサブフレームを示すことが記載されている。
　また、引用文献２に示される周知技術は、ダウンリンク制御チャネルにおいてユーザ装置へ送信される制御情報（例えば、「DCI formats 0」）について、制御信号に含まれる第２のフィールド（「carrier indicator field」）が、制御情報が適用されることとなる１つのコンポーネントキャリアを示し、第２のフィールドの異なる値が、制御情報が適用されることとなる異なる１つのコンポーネントキャリアを示す技術である。
　したがって、引用文献１に示される発明に、引用文献２に示される周知技術を適用し、制御情報に第２のフィールドを追加することにより、ダウンリンク制御チャネルにおいてユーザ装置へ送信される制御情報について、制御信号に含まれる第１のフィールドと第２のフィールドとからなるフィールドの組み合わせの異なる値が、制御情報が適用されることとなる１つのサブフレームおよび１つのコンポーネントキャリアの異なる組み合わせを示すようにすることは、当業者が容易に想到し得ることである。
　よって、審判請求人の上記主張を考慮しても、請求項１，５，９〜１１，１５，１９，２０に係る発明は、依然として、引用文献１に示される発明及び引用文献２に示される周知技術に基づいて、当業者が容易に想到し得る発明であるから、特許法第２９条第２項の規定により特許を受けることができない。
・根拠条文　特許法第２９条第２項
・請求項　２〜４，６〜８，１２〜１４，１６〜１８
・引用文献等　１〜３
・特許査定できない理由
　請求項２〜４，６〜８，１２〜１４，１６〜１８に係る発明は、依然として、引用文献１に示される発明及び引用文献２，３に示される周知技術に基づいて、当業者が容易に想到し得る発明であるから、特許法第２９条第２項の規定により特許を受けることができない。
・根拠条文　特許法第３６条第４項第１号、特許法第３６条第６項第１号
・請求項　４，８，１４，１８
・特許査定できない理由
　請求項４には、「前記ＤＬインデックスは、２つ以上の同時の物理アップリンク共有チャネル（ＰＵＳＣＨ）割当てに対応する」と記載されているが、発明の詳細な説明には、「ＤＬインデックス」をダウンリンク割当てに用い、「ＵＬインデックス」をアップリンク割当てに用いることのみが記載されており（段落［００６４］参照）、「ＤＬインデックス」を、アップリンク割当てである「物理アップリンク共有チャネル（ＰＵＳＣＨ）割当て」に用いることは、記載も示唆もされていない。
　したがって、請求項４に係る発明は、発明の詳細な説明に記載されたものではなく、発明の詳細な説明は、当業者が請求項４に係る発明を実施することができる程度に明確かつ十分に記載されたものでない。
　よって、請求項４に係る発明について、発明の詳細な説明及び特許請求の範囲の記載は、依然として、特許法第３６条第４項第１号、及び、特許法第３６条第６項第１号に規定する要件を満たしていない。
　請求項８，１４，１８にも、同様の記載が存在しており、請求項８，１４，１８に係る発明は、発明の詳細な説明に記載されたものではなく、発明の詳細な説明は、当業者が請求項８，１４，１８に係る発明を実施することができる程度に明確かつ十分に記載されたものでない。
　よって、請求項８，１４，１８に係る発明について、発明の詳細な説明及び特許請求の範囲の記載は、依然として、特許法第３６条第４項第１号、及び、特許法第３６条第６項第１号に規定する要件を満たしていない。
　なお、審判請求人は、審判請求書において、「(ii)に関し、明細書の段落［００６５］は、「複数の異なるセル中の干渉調整の目的では、ＵＥが複数の異なるキャリアおよび／または複数のサブフレームのための複数の異なる電力制御パラメータを維持することが望ましいことがある。これを達成するために、様々なメカニズムが適切でありうる。第１に、別々の電力制御パラメータでのリソースの構成（キャリアサブフレームの組み合わせ）が特定される（例えば、規格で承認されたり、レイヤ３シグナリングで特定されたりする）ことができる。第２に、ＵＬリソースへのＤＬ電力制御コマンドのマッピングは暗示的（例えば、対応するＤＬリソースまたは制御エレメントへのＵＬリソースの固定されたマッピングで）または明示的（例えば、対応するＣＦＩおよび／またはＵＬサブフレームインデックスで）、またはより一般的には、リソースインデックスでありうる。」を記載しています。従って、これは、「前記ＤＬインデックスは、２つ以上の同時の物理アップリンク共有チャネル（ＰＵＳＣＨ）割当てに対応する」の記載をサポートします。」という旨を主張している。
　しかし、発明の詳細な説明の段落［００６５］には、「ＵＬサブフレームインデックス」についての記載はあるものの、「ＤＬインデックス」に関しては何ら記載されていない。
　また、発明の詳細な説明の段落［００６５］の記載は、「電力制御パラメータ」に関する記載であって、「ＰＵＳＣＨ割当て」に関する記載ではない。
　よって、審判請求人の上記主張を採用することはできない。
――――――――――――――――――――――――――――――――――――
　　　　　　　　　　　　　＜引用文献等一覧＞
１.“Evolved Universal Terrestrial Radio Access (E-UTRA); Physical layer procedures (Release 8)”，3GPP TS 36.213 V8.8.0， ２００９年９月，pp.52-55，ＵＲＬ， http://www.3gpp.org/ftp/Specs/archive/36_series/36.213/36213-880.zip
２.Qualcomm Europe，“Interpreting the Carrier Indicator Field”， 3GPP TSG RAN WG1 #58bis, R1-094206，
　　２００９年１０月，pp.1-3，ＵＲＬ，http://www.3gpp.org/ftp/tsg_ran/wg1_rl1/TSGR1_58b/Docs/R1-094206.zip（周知技術を示す文献）
３.国際公開第２００９／０４１７８５号（周知技術を示す文献）
３．当審の拒絶理由
　この出願は、特許請求の範囲の記載が下記の点で、特許法第３６条第６項第２号に規定する要件を満たしていない。
　　　　　　　　　　　　　　　　　記
請求項１について
　「フィールドの組み合わせ」が何を示すのか不明瞭である。
請求項５、９−１１、１５、１９−２０
　請求項１と同様の理由である。
請求項２−４、６−８、１２−１４、１６−１８について
　請求項１、５、１１又は１５を引用して記載しているから、同様の理由を有する。
　この出願は、特許請求の範囲の記載が下記の点で、特許法第３６条第６項第１号に規定する要件を満たしていない。
　　　　　　　　　　　　　　　　　記
請求項４について
　ＤＬインデックスが２つ以上の同時のＰＵＳＣＨ割当に対応することは明細書に記載されていない。
請求項８、１４、１８について
　請求項４と同様の理由である。
第３　本願発明
　本願の請求項１−１６に係る発明は、平成２８年９月１４日付けの手続補正で補正された特許請求の範囲の請求項１−１６に記載された事項により特定されるものと認められるところ、本願に係る発明（以下、請求項１に係る発明を「本願発明１」という。）は以下のとおりである。
「【請求項１】
　無線通信のためにアクセスポイントによって実施される方法であって、
　１つまたは複数のサブフレームにおける送信をスケジュールするための制御情報を生成することと、
　フィールドの組み合わせによりダウンリンク制御チャネルにおいてユーザ装置へ前記制御情報を送信することと、ここにおいて、前記フィールドの組み合わせは、ダウンリンク（ＤＬ）インデックスフィールドおよびキャリアインジケータフィールド（ＣＩＦ）を備え、前記フィールドの組み合わせの異なる値は、前記制御情報が適用されることとなる１つまたは複数のサブフレームおよび１つまたは複数のコンポーネントキャリアの異なる組み合わせを示す、
　を備える方法。
　　【請求項２】
　前記ＤＬインデックスフィールドは、前記制御情報が適用されることとなる１つまたは複数のサブフレームを示す、請求項１に記載の方法。
　　【請求項３】
　前記ＣＩＦは、サブフレーム整列された形式でのクロスキャリア割当てを行い、割当てられたすべてのキャリアが物理ダウンリンク共有チャネル（ＰＤＳＣＨ）または物理アップリンク共有チャネル（ＰＵＳＣＨ）のうちのいずれか１つについて同一のタイミングを有するようにしたものである、請求項２に記載の方法。
　　【請求項４】
　無線通信のための装置であって、
　１つまたは複数のサブフレームにおける送信をスケジュールするための制御情報を生成するための手段と、
　フィールドの組み合わせによりダウンリンク制御チャネルにおいてユーザ装置へ前記制御情報を送信するための手段と
　を備え、前記フィールドの組み合わせは、ダウンリンク（ＤＬ）インデックスフィールドおよびキャリアインジケータフィールド（ＣＩＦ）を備え、前記フィールドの組み合わせの異なる値は、前記制御情報が適用されることとなる１つまたは複数のサブフレームおよび１つまたは複数のコンポーネントキャリアの異なる組み合わせを示す、装置。
　　【請求項５】
　前記ＤＬインデックスフィールドは、前記制御情報が適用されることとなる１つまたは複数のサブフレームを示す、請求項４に記載の装置。
　　【請求項６】
　前記ＣＩＦは、サブフレーム整列された形式でのクロスキャリア割当てを行い、割当てられたすべてのキャリアが物理ダウンリンク共有チャネル（ＰＤＳＣＨ）または物理アップリンク共有チャネル（ＰＵＳＣＨ）のうちのいずれか１つについて同一のタイミングを有するようにしたものである、請求項５に記載の装置。
　　【請求項７】
　無線通信のための装置であって、
　１つまたは複数のサブフレームにおける送信をスケジュールするための制御情報を生成するように構成される生成コンポーネントと、
　フィールドの組み合わせによりダウンリンク制御チャネルにおいてユーザ装置へ前記制御情報を送信するように構成される送信コンポーネントと
　を備え、前記フィールドの組み合わせは、ダウンリンク（ＤＬ）インデックスフィールドおよびキャリアインジケータフィールド（ＣＩＦ）を備え、前記フィールドの組み合わせの異なる値は、前記制御情報が適用されることとなる１つまたは複数のサブフレームおよび１つまたは複数のコンポーネントキャリアの異なる組み合わせを示す、装置。
　　【請求項８】
　無線通信のために１つまたは複数のプロセッサによって実行可能なプログラムを格納したコンピュータ可読記憶媒体であり、前記プログラムは、
　１つまたは複数のサブフレームにおける送信をスケジュールするための制御情報を生成するための複数の命令と、
　フィールドの組み合わせによりダウンリンク制御チャネルにおいてユーザ装置へ前記制御情報を送信するための複数の命令と
　を備え、前記フィールドの組み合わせは、ダウンリンク（ＤＬ）インデックスフィールドおよびキャリアインジケータフィールド（ＣＩＦ）を備え、前記フィールドの組み合わせの異なる値は、前記制御情報が適用されることとなる１つまたは複数のサブフレームおよび１つまたは複数のコンポーネントキャリアの異なる組み合わせを示す、コンピュータ可読記憶媒体。
　　【請求項９】
　無線通信のためにユーザ装置によって実施される方法であって、
　フィールドの組み合わせによりダウンリンク制御チャネルにおいて制御情報を受信することと、ここにおいて、前記フィールドの組み合わせは、ダウンリンク（ＤＬ）インデックスフィールドおよびキャリアインジケータフィールド（ＣＩＦ）を備え、前記フィールドの組み合わせの異なる値は、前記制御情報が適用されることとなる１つまたは複数のサブフレームおよび１つまたは複数のコンポーネントキャリアの異なる組み合わせを示す、　前記フィールドの組み合わせの値に基づいて、前記制御情報が適用されることとなる１つまたは複数のサブフレームおよび１つまたは複数のコンポーネントキャリアの組み合わせを決定することと
　を備える方法。
　　【請求項１０】
　前記ＤＬインデックスフィールドは、前記制御情報が適用されることとなる１つまたは複数のサブフレームを示す、請求項９に記載の方法。
　　【請求項１１】
　前記ＣＩＦは、サブフレーム整列された形式でのクロスキャリア割当てを行い、割当てられたすべてのキャリアが物理ダウンリンク共有チャネル（ＰＤＳＣＨ）または物理アップリンク共有チャネル（ＰＵＳＣＨ）のうちのいずれか１つについて同一のタイミングを有するようにしたものである、請求項１０に記載の方法。
　　【請求項１２】
　無線通信のための装置であって、
　フィールドの組み合わせによりダウンリンク制御チャネルにおいて制御情報を受信するための手段と、ここにおいて、前記フィールドの組み合わせは、ダウンリンク（ＤＬ）インデックスフィールドおよびキャリアインジケータフィールド（ＣＩＦ）を備え、前記フィールドの組み合わせの異なる値は、前記制御情報が適用されることとなる１つまたは複数のサブフレームおよび１つまたは複数のコンポーネントキャリアの異なる組み合わせを示す、
　前記フィールドの組み合わせの値に基づいて、前記制御情報が適用されることとなる１つまたは複数のサブフレームおよび１つまたは複数のコンポーネントキャリアの組み合わせを決定するための手段と
　を備える、装置。
　　【請求項１３】
　前記ＤＬインデックスフィールドは、前記制御情報が適用されることとなる１つまたは複数のサブフレームを示す、請求項１２に記載の装置。
　　【請求項１４】
　前記ＣＩＦは、サブフレーム整列された形式でのクロスキャリア割当てを行い、割当てられたすべてのキャリアが物理ダウンリンク共有チャネル（ＰＤＳＣＨ）または物理アップリンク共有チャネル（ＰＵＳＣＨ）のうちのいずれか１つについて同一のタイミングを有するようにしたものである、請求項１３に記載の装置。
　　【請求項１５】
　無線通信のための装置であって、
　　フィールドの組み合わせによりダウンリンク制御チャネルにおいて制御情報を受信するように構成される受信コンポーネントと、ここにおいて、前記フィールドの組み合わせは、ダウンリンク（ＤＬ）インデックスフィールドおよびキャリアインジケータフィールド（ＣＩＦ）を備え、前記フィールドの組み合わせの異なる値は、前記制御情報が適用されることとなる１つまたは複数のサブフレームおよび１つまたは複数のコンポーネントキャリアの異なる組み合わせを示す、
　　前記フィールドの組み合わせの値に基づいて、前記制御情報が適用されることとなる１つまたは複数のサブフレームおよび１つまたは複数のコンポーネントキャリアの組み合わせを決定するように構成されるスケジューリングコンポーネントと
　を備える、装置。
　　【請求項１６】
　無線通信のために１つまたは複数のプロセッサによって実行可能なプログラムを格納したコンピュータ可読記憶媒体であり、前記プログラムは、
　フィールドの組み合わせによりダウンリンク制御チャネルにおいて制御情報を受信するための複数の命令と、ここにおいて、前記フィールドの組み合わせは、ダウンリンク（ＤＬ）インデックスフィールドおよびキャリアインジケータフィールド（ＣＩＦ）を備え、前記フィールドの組み合わせの異なる値は、前記制御情報が適用されることとなる１つまたは複数のサブフレームおよび１つまたは複数のコンポーネントキャリアの異なる組み合わせを示す、
　前記フィールドの組み合わせの値に基づいて、前記制御情報が適用されることとなる１つまたは複数のサブフレームおよび１つまたは複数のコンポーネントキャリアの組み合わせを決定するための複数の命令と
　を備える、コンピュータ可読記憶媒体。」
第４　当審の判断
１．特許法第３６条第６項第２号について
　当審の拒絶理由通知で通知した「フィールドの組み合わせ」については、「前記フィールドの組み合わせは、ダウンリンク（ＤＬ）インデックスフィールドおよびキャリアインジケータフィールド（ＣＩＦ）を備え」ていることが明確となった。
２．特許法第３６条第６項第１号について
　当審の拒絶理由通知で通知した、平成２７年１２月４日付けの手続補正における請求項４、８、１４、１８については、平成２８年９月１４日付けの手続補正で削除された。
　よって、前置報告書における請求項４、８、１４、１８についての第３６条第４項第１号と第３６条第６項第１号についても解消された。
３．特許法第３６条第４項第１号について
　原査定の、平成２７年２月２日付けの手続補正における請求項４、８、１４、１８については、対応する平成２７年１２月４日付けの手続補正における請求項４、８、１４、１８が、平成２８年９月１４日付けの手続補正で削除された。
　原査定の、平成２７年２月２日付けの手続補正における請求項３、７、１３、１７については、対応する平成２７年１２月４日付けの手続補正における請求項３、７、１３、１７について、明細書【００６０】に
「例えば、図５に例示されるように、いくつかの場合において、ｘＳＦ／ＣＩＦは単にクロスキャリア方式で送信をスケジュールできる。例示された事例において、１タイムインスタンスで、ｘＳＦ／ＣＩＦはＣＣ１上のＰＤＣＣＨが同じフレームにおけるＣＣ２およびＣＣ３上の送信をスケジュールすることを示す。」
　の記載があり、十分な開示がなされている。
４．特許法第２９条第２項について
（１）引用発明
　原査定及び前置報告に引用されたEvolved Universal Terrestrial Radio Access (E-UTRA); Physical layer procedures (Release 8)”，3GPP TS 36.213 V8.8.0，２００９年９月，pp.52-55（以下「引用例１」という。下線は当審が付与。）には、
「8 Physical uplink shared channel related procedures
For FDD, there shall be 8 HARQ processes in the uplink for non-subframe bundling operation, i.e. normal HARQ operation, and 4 HARQ processes in the uplink for subframe bundling operation. The subframe bundling operation is configured by the parameter ttiBundling provided by higher layers.
In case higher layers configure the use of subframe bundling for FDD and TDD, the subframe bundling operation is only applied to UL-SCH, such that four consecutive uplink subframes are used.
For FDD and normal HARQ operation, the UE shall upon detection of a PDCCH with DCI format 0 and/or a PHICH transmission in subframe n intended for the UE, adjust the corresponding PUSCH transmission in subframe n+4 according to the PDCCH and PHICH information.
For FDD and subframe bundling operation, the UE shall upon detection of a PDCCH with DCI format 0 in subframe n intended for the UE, and/or a PHICH transmission in subframe n-5 intended for the UE, adjust the corresponding first PUSCH transmission in the bundle in subframe n+4 according to the PDCCH and PHICH information.
For FDD and TDD, the NDI as signalled on PDCCH, the RV as determined in section 8.6.1, and the TBS as determined in section 8.6.2, shall be delivered to higher layers.
For TDD, the number of HARQ processes shall be determined by the DL/UL configuration (Table 4.2-2 of [3]), as indicated in table 8-1.
For TDD UL/DL configurations 1-6 and normal HARQ operation, the UE shall upon detection of a PDCCH with DCI format 0 and/or a PHICH transmission in subframe n intended for the UE, adjust the corresponding PUSCH transmission in subframe n+k, with k given in Table 8-2, according to the PDCCH and PHICH information
For TDD UL/DL configuration 0 and normal HARQ operation the UE shall upon detection of a PDCCH with DCI format 0 and/or a PHICH transmission in subframe n intended for the UE, adjust the corresponding PUSCH transmission in subframe n+k if the MSB of the UL index in the DCI format 0 is set to 1
If, for TDD UL/DL configuration 0 and normal HARQ operation, the LSB of the UL index in the DCI format 0 is set to 1 in subframe n
 the UE shall adjust the corresponding PUSCH transmission in subframe n+7. If, for TDD UL/DL configuration 0, both the MSB and LSB of the UL index in the DCI format 0 are set in subframe n, the UE shall adjust the corresponding PUSCH transmission in both subframes n+ k  and n+7, with k given in Table 8-2
For TDD UL/DL configurations 1 and 6 and subframe bundling operation, the UE shall upon detection of a PDCCH with DCI format 0 in subframe n intended for the UE, and/or a PHICH transmission intended for the UE in subframe n-l with l given in Table 8-2a, adjust the corresponding first PUSCH transmission in the bundle in subframe n+k, with k given in Table 8-2, according to the PDCCH and PHICH information.
For TDD UL/DL configuration 0 and subframe bundling operation, the UE shall upon detection of a PDCCH with DCI format 0 in subframe n intended for the UE, and/or a PHICH transmission intended for the UE in subframe n-l with l given in Table 8-2a, adjust the corresponding first PUSCH transmission in the bundle in subframe n+k, if the MSB of the UL index in the DCI format 0 is set to 1 or if IPHICH  =0, as defined in Section 9.1.2, with k given in Table 8-2, according to the PDCCH and PHICH information. If, for TDD UL/DL configuration 0 and subframe bundling operation, the LSB of the UL index in the DCI format 0 is set to 1 in subframe n or if IPHICH =1, as defined in Section 9.1.2, the UE shall adjust the corresponding first PUSCH transmission in the bundle in subframe n+7, according to the PDCCH and PHICH information.
」
（当審訳：
８　物理アップリンク共用チャネルに関する手続き
　ＦＤＤでは、非サブフレーム・バンドリング操作のためのアップリンクにおいて、８つのＨＡＲＱプロセスがある。すなわち、通常のＨＡＲＱ操作および、サブフレーム・バンドリング操作のためのアップリンクにおける４つのＨＡＲＱプロセスである。
　サブフレーム・バンドリング操作は、上位層によって提供されるパラメーター、ＴＴＩバンドリングによって構成される。
　ＦＤＤおよびＴＤＤのためのサブフレーム・バンドリングの使用を構成する上位レイヤーの場合、サブフレーム・バンドリング操作は、４つの連続するアップリンク・サブフレームが使用されるようなＵＬ−ＳＣＨにのみ適用される。
　ＦＤＤおよび通常のＨＡＲＱ操作では、ＵＥは、ＵＥのために意図されたサブフレームｎにおいて、ＤＣＩフォーマット０および／またはＰＨＩＣＨ信号を伴うＰＤＣＣＨを検出すると、ＰＤＣＣＨおよびＰＨＩＣＨの情報に応じて、サブフレームｎ＋４における対応するＰＵＳＣＨ信号を調整するであろう。
　ＦＤＤおよびサブフレーム・バンドリング操作では、ＵＥは、ＵＥのために意図されたサブフレームｎにおけるＤＣＩフォーマット０を伴うＰＤＣＣＨおよび／または、ＵＥのために意図されたサブフレームｎ−５におけるＰＨＩＣＨ信号を検出すると、ＰＤＣＣＨおよびＰＨＩＣＨの情報に応じて、サブフレームｎ＋４でのバンドルにおいて、対応する最初のＰＵＳＣＨ信号を調整するであろう。
　ＦＤＤおよびＴＤＤでは、ＰＤＣＣＨ上の信号としてのＮＤＩ、セクション８．６．１で決定されたＲＶ、セクション８．６．２で決定されたＴＢＳなどが、上位レイヤーに配信されるであろう。
　ＴＤＤでは、ＨＡＲＱプロセスの数は、表８−１に示されているように、ＤＬ／ＵＬ構成（［３］表４．２−２）によって決定されるであろう。
　ＴＤＤ　ＵＬ／ＤＬ構成１−６および通常ＨＡＲＱ操作では、ＵＥは、ＤＣＩフォーマット０のＰＤＣＣＨおよび／または、ＵＥのために意図されたサブフレームｎにおけるＰＨＩＣＨ信号を検出すると、ＰＤＣＣＨおよびＰＨＩＣＨの情報に応じて、表８−２にあるｋを使ったサブフレームｎ＋ｋでの、対応するＰＵＳＣＨ信号を調整するであろう。
　
ＴＤＤ　ＵＬ／ＤＬ構成０および通常ＨＡＲＱ操作では、ＵＥは、ＤＣＩフォーマット０のＰＤＣＣＨおよび／または、ＵＥのために意図されたサブフレームｎにおけるＰＨＩＣＨ信号を検出すると、もし、ＤＣＩフォーマット０におけるＵＬインデックスのＭＳＢが１にセットされる場合、
サブフレームｎ＋ｋでの、対応するＰＵＳＣＨ信号を調整するであろう。もし、ＴＤＤ　ＵＬ／ＤＬ構成０および通常ＨＡＲＱ操作では、ＤＣＩフォーマット０でのＵＬインデックスのＬＳＢがサブフレームｎにおいて１にセットされる場合、
ＵＥは、サブフレームｎ＋７において対応するＰＵＳＣＨ信号を調整するであろう。もし、ＴＤＤ　ＵＬ／ＤＬ構成０では、ＤＣＩフォーマット０でのＵＬインデックスのＭＳＢおよびＬＳＢの両方がサブフレームｎにおいてセットされる場合、ＵＥは、表８−２で示されるｋを使ったサブフレームｎ＋ｋおよびｎ＋７の両方において、対応するＰＵＳＣＨ信号を調整するであろう。
　ＴＤＤ　ＵＬ／ＤＬ構成１および６およびサブフレーム・バンドリング操作では、ＵＥは、ＵＥのために意図されたサブフレームｎにおけるＤＣＩフォーマット０を伴うＰＤＣＣＨ、および／または、表８−２ａで示されるｌを使ったサブフレームｎ−ｌにおけるＵＥのために意図されたＰＨＩＣＨ信号を検出すると、ＰＤＣＣＨおよびＰＨＩＣＨ情報に応じて、表８−２で示されるｋを使ったサブフレームｎ＋ｋでのバンドルにおいて、対応する初めのＰＵＳＣＨ信号を調整する。
　ＴＤＤ　ＵＬ／ＤＬ構成０およびサブフレーム・バンドリング操作では、ＤＣＩフォーマット０にあるＵＬインデックスのＭＳＢが１に設定されている場合、またはセクション９．１．２で規定されるようにＩPHICH=0であり、表８−２のｋを伴っていれば、ＰＤＣＣＨ情報およびＰＨＩＣＨ情報に従い、ＵＥは、ＵＥを意図するサブフレームｎの中のＤＣＩフォーマット０を伴うＰＤＣＣＨおよび/または表８−２ａのｌを伴うサブフレームｎ−ｌの中のＵＥを意図したＰＨＩＣＨを検出し、サブフレームｎ＋ｋの中のバンドル内の対応する最初のＰＵＳＣＨ伝送を調整する。ＴＤＤ　ＵＬ／ＤＬ構成０およびサブフレーム・バンドリング操作では、ＤＣＩフォーマット０でのＵＬインデックスのＬＳＢが、サブフレームｎにおいて１にセットされる場合、または、セクション９．１．２において定義されたようにＩPHICH＝１の場合、ＵＥは、ＰＤＣＣＨおよびＰＨＩＣＨ情報に応じて、サブフレームｎ＋７でのバンドルにおいて対応する初めてのＰＵＳＣＨ信号を調整するであろう。
）
　の記載があるから、引用例１には、
「ＴＤＤ　ＵＬ／ＤＬ構成０および通常ＨＡＲＱ操作では、ＵＥは、ＤＣＩフォーマット０のＰＤＣＣＨおよび／または、ＵＥのために意図されたサブフレームｎにおけるＰＨＩＣＨ信号を検出すると、
　もし、ＤＣＩフォーマット０におけるＵＬインデックスのＭＳＢが１にセットされる場合、サブフレームｎ＋ｋでの、対応するＰＵＳＣＨ信号を調整し、
　ＤＣＩフォーマット０でのＵＬインデックスのＬＳＢがサブフレームｎにおいて１にセットされる場合、ＵＥは、サブフレームｎ＋７において対応するＰＵＳＣＨ信号を調整し、
　ＤＣＩフォーマット０でのＵＬインデックスのＭＳＢおよびＬＳＢの両方がサブフレームｎにおいてセットされる場合、ＵＥは、サブフレームｎ＋ｋおよびｎ＋７の両方において、対応するＰＵＳＣＨ信号を調整する
　方法。」
　の発明（以下「引用発明」という。）が記載されている。
（２）本願発明１と引用発明の比較
　引用発明のＵＥは、本願発明１のユーザ装置に相当する。
　引用発明のＰＤＣＣＨは、本願発明のダウンリンク制御チャネルに相当する。
　引用発明において、ＵＥは、検出した「ＤＣＩフォーマット０のＰＤＣＣＨ信号におけるＵＬインデックス」のＭＳＢとＬＳＢのセット状況に応じて、サブフレームｎ＋ｋとｎ＋７においてＰＵＳＣＨ信号を調整しているから、「ＤＣＩフォーマット０のＰＤＣＣＨ信号」は「サブフレームにおける送信をスケジュールするための制御信号」であり、ＤＣＩフォーマット０のＰＤＣＣＨ信号におけるＵＬインデックスの「ＭＳＢ」と「ＬＳＢ」は、それぞれ「フィールド」であるから、「ＤＣＩフォーマット０のＰＤＣＣＨ信号におけるＵＬインデックスＭＳＢとＬＳＢ」は「フィールドの組み合わせ」である。
　そして、ＵＥが、ＤＣＩフォーマット０のＰＤＣＣＨ信号を検出するには、該ＤＣＩフォーマット０のＰＤＣＣＨ信号をアクセスポイントが生成して送信することが必要であることは明らかである。
　つまり、引用発明は、アクセスポイントが、「送信をスケジュールするための制御信号を生成」し、「フィールドの組み合わせによりダウンリンク制御チャネルにおいて制御情報を送信」しているといえる。
　したがって、本願発明１と引用発明は、
「無線通信のためにアクセスポイントによって実施される方法であって、
　１つまたは複数のサブフレームにおける送信をスケジュールするための制御情報を生成することと、
　フィールドの組み合わせによりダウンリンク制御チャネルにおいてユーザ装置へ前記制御情報を送信すること、
　を備える方法。」
　で一致し、下記の点で相違する。
　相違点
　「フィールドの組み合わせ」に関し、引用発明は、「ＤＣＩフォーマット０のＰＤＣＣＨ信号におけるＵＬインデックスＭＳＢとＬＳＢ」であって、「サブフレームｎ＋ｋおよびｎ＋７において、ＰＵＳＣＨ信号を調整する」のに対し、本願発明１は、「ダウンリンク（ＤＬ）インデックスフィールドおよびキャリアインジケータフィールド（ＣＩＦ）を備え」ており、「フィールドの組み合わせの異なる値」が、「前記制御情報が適用されることとなる１つまたは複数のサブフレームおよび１つまたは複数のコンポーネントキャリアの異なる組み合わせを示」している点。
（３）判断
　上記相違点について検討する。
　引用発明における「フィールドの組み合わせ」は、サブフレームｎ＋ｋおよびｎ＋７を示すから「異なるサブフレーム」を示してはいるものの、「サブフレーム及びコンポーネントキャリアの組み合わせ」は示していない。
　また、制御信号の「フィールドの組み合わせ」が「サブフレーム及びコンポーネントキャリアの組み合わせ」を示す引用文献も存在しない。
　なお、原査定で引用された3GPP TSG RAN WG1 #58bis R1-094206(12-16 Oct 2009), Qualcomm Europe, Interpreting the Carrier Indicator Field（以下「引用例２」という。下線は当審が付与。）には、
「Carrier indicator is in general applicable to all DCI formats that can carry UE specific UL or DL assignments. 
The DCI formats 0, 1, 1A, 1B, 1D, 2, and 2A are used for the UE specific assignments with C-RNTI scrambling, and therefore can include carrier indicator field for the cross-carrier operation.
（当審訳：
　キャリアインジケータは、一般的に全てのＵＥ特定のＵＬやＤＬ割当を搬送することのできるＤＣＩフォーマットに対して適用される。
ＤＣＩフォーマット０、１、１Ａ、１Ｂ、１Ｄ、２と２ＡはＣ−ＲＮＴＩスクランブリングを有するＵＥ特定割当のために使用され、したがって、クロスキャリア動作のためのキャリアインジケータフィールドを含むことができる。
　の記載があるから、ＤＣＩフォーマット０でキャリアインジケータフィールドを搬送することが可能であることは記載されているものの、引用発明においてキャリアインジケータフィールドを搬送したとしても、「キャリアインジケータフィールド」と「ＵＬインデックスＭＬＢとＬＳＢ」が、それぞれ「キャリア」と「サブフレーム」を示すだけであって、「フィールドの組み合わせ」が「サブフレーム及びコンポーネントキャリアの組み合わせ」を示すものとはならない。
　したがって、本願発明１は、当業者が引用発明に基いて容易に発明をすることができたとはいえない。
（４）請求項２−１６について
　請求項４、７、８、９、１２，１５、１６に係る発明についても、上記（２）に記載した相違点を有するから、（３）に記載したのと同様の理由により、当業者が引用発明に基づいて容易に発明をすることができたとはいえない。
　請求項２、３は、請求項１を引用して記載されているから、請求項２、３に係る発明も、少なくとも上記（２）と同様の相違点を有する。
　さらに、請求項５、６は請求項４を引用して、請求項１０、１１は請求項９を引用して、請求項１３、１４は請求項１２を引用して、それぞれ記載されているから、同様に上記（２）に記載した相違点を有する。
　したがって、請求項２、３、５、６、１０、１１、１３、１４に係る発明も、（３）に記載したのと同様の理由により、当業者が引用発明に基づいて容易に発明をすることができたとはいえない。
　よって、本願の請求項２−１６に係る発明も、本願発明１と同様に、当業者が引用発明に基づいて容易に発明をすることができたとはいえない。
第５　むすび
　以上のとおり、本願の請求項１−１６に係る発明は、いずれも、原査定の理由によっては、本願を拒絶することはできない。
　また、他に本願を拒絶すべき理由を発見しない。
　よって、結論のとおり審決する。